(57)【要約】【課題】造形が容易な太さで、あらゆる方向へ曲げても針金が見えずにビロード調の表現を可能にする。【解決手段】紙を巻いた針金に両面熱接着不織布を被覆しビロード様の布或いはビロード様糸を螺旋状に巻き付け接着させた構造により、必要最小限の太さであらゆる方向へ造形してもビロード調になる表現の多様性に対応したビロード様紐および製造方法である。【選択図】図１
2009051191.tif 000002
【特許請求の範囲】
【請求項１】
針金に接着剤を介してビロード様布或いはビロード様糸を巻き付け得られることを特徴とするビロード様紐。
【請求項２】
請求項１において、前記接着剤として前記針金に熱接着樹脂を被覆し、ビロード様布或いはビロード様糸を巻きつけ加熱加工して得られることを特徴とするビロード様紐。
【請求項３】
請求項２において、前記熱接着樹脂として、両面熱接着不織布を用いたことを特徴とするビロード様紐。
【請求項４】
請求項１、２又は３において、前記針金に紙を巻き、前記紙の外周に前記接着剤を介して前記ビロード様布或いはビロード様糸を巻き付けて得られることを特徴とするビロード様紐。
【請求項５】
請求項４において、前記紙の上に前記接着剤として両面熱接着不織布を巻き付けて、さらに前記ビロード様布或いはビロード様糸を巻き付けて加熱加工によって得られることを特徴とするビロード様紐。
【請求項６】
請求項４又は５において、前記針金と前記紙の間に接着剤を介したことを特徴とするビロード様紐。
【請求項７】
請求項１〜６のいずれかにおいて、前記ビロード様布或いはビロード様糸を螺旋状に巻き付けたことを特徴とするビロード様紐。
【請求項８】
針金に接着剤を介してビロード様布或いはビロード様糸を巻き付けて得られるビロード様紐の製造方法。
【請求項９】
請求項１において、前記接着剤として前記針金に熱接着樹脂を被覆し、ビロー様布或いはビロード様糸を巻き付け加熱加工して得られるビロード様紐の製造方法。
【請求項１０】
請求項２において、前記熱接着樹脂として両面熱接着不織布を用いて得られるビロード様紐の製造方法。
【請求項１１】
請求項１、２又は３において前記針金に紙を巻き、前記紙の外周に前記接着剤を介して前記ビロード様布或いはビロード様糸を巻き付け得られるビロード様紐の製造方法。
【請求項１２】
請求項４において、前記紙の上に前記接着剤として両面熱接着不織布を巻き付けて、さらに前記ビロード様布或いはビロード様糸を巻き付け加熱加工によって得られるビロード様紐の製造方法。
【請求項１３】
請求項４又は５において、前記針金と前記紙の間に接着剤を介して得られるビロード様紐の製造方法。
【請求項１４】
請求項１〜６のいずれかにおいて、前記ビロード様布或いはビロード様糸を螺旋状に巻き付け得られたビロード様紐の製造方法。
【発明の詳細な説明】
【技術分野】
【０００１】本発明品は手芸用モールとはまったく異なる構造のあらゆる方向へ曲げても針金が見えず容易にビロード調の表現を可能にするためのビロード様紐に関するものである。
【背景技術】
【０００２】既に市場では手芸用モールとして販売されているものがある。モールとは金、銀、あるいは色糸を絡ませた飾り撚りの糸、針金に色糸・ビニールなどを撚りつけた紐である。以下、図５により従来の手芸用モールについて説明する。図５において６６は繊維を絡めている針金で、６７は絡まる繊維である。床面に平行にそれぞれの針金の側面がとなり合う２本の針金の間に繊維を針金に対し直角に配し、繊維を挿んだ２本の針金を捻ることによって形成された構造である。又、針金からなる芯材に、ボール紙、新聞紙、チラシ紙等を所望の太さに巻き付け、糊料を塗布した上から和紙からなるクレープペーパーを巻きつけてなる手芸用材料がある。
【特許文献１】実開６３−２０１８００号公報
【非特許文献１】大辞林  第二版  モール
【非特許文献２】「村田モール  総合カタログ」村田モール  ２００７年、Ｐ３
【０００３】上記で述べた従来の手芸用モールでは針金が表面から見える構造であり、尚且つ構造物の表面をビロード様或いはフェルト様に造形しようとする場合、繊維の密度を高めるため針金を捻る必要がある。しかし、針金を捻りすぎると切断してしまうという問題があり所望の構造物を造形するには限界があった。
【発明の開示】
【発明が解決しようとする課題】
【０００４】本発明品は上記のような従来の構成が有していた問題を解決しようとするものであり、あらゆる方向へ造形しても針金が見えずにビロード調の表現を可能にし、所望の形状の構成を実現させる目的のものである。
【課題を解決するための手段】
【０００５】本発明品は上記目的を達成するために針金に接着剤を介してビロード様の布或いはビロード様糸を巻き付けて構成した点に特徴がある。【０００６】更に本発明品は請求項１において、前記接着剤として前記針金に熱接着樹脂を被覆し、ビロード様布或いはビロード様糸を巻き付け加熱加工によって構成した点に特徴がある。【０００７】更に本発明品は請求項２において、前記熱接着樹脂として両面熱接着不織布を用いた構成に特徴がある。【０００８】更に本発明品は請求項１、２又は３において、前記針金に紙を巻き、前記紙の外周に前記接着剤を介して前記ビロード様布或いはビロード様糸を巻き付けた構成に特徴がある。【０００９】更に請求項４において、前記紙の上に前記接着剤として両面熱接着不織布を巻き付けて、更にビロード様布或いはビロード様糸を巻き付け加熱加工した構成に特徴がある。【００１０】更に請求項４又は５において、前記針金と前記紙の間に、接着剤を介した構成に特徴がある。【００１１】更に請求項１〜６において、前記ビロード様布或いはビロード様糸を螺旋状に巻き付けた構成に特徴がある。
【発明の効果】
【００１２】上記のように構成された本発明品或いは方法は、従来品の手芸用モールと比較して製造が簡単であり、接着剤の使用により紐を切断しても切断面のビロードが解れるることが無い。又、ビロード様布或いはビロード様糸を巻き付けた構造により針金が表面から見えることなく、あらゆる方向へ造形しても容易にビロード調作品を表現できる利点がある。
【発明を実施するための最良の形態】
【００１３】以下、本発明品の実施の形態を図１〜５に基づいて説明する。【００１４】図１（Ａ）は本発明の実施の形態となるビロード様紐１００の全体図である。図１（Ｂ）はこのビロード様紐１００の断面を示している。１は針金、２は接着剤、３は紙、４は両面熱接着不織布、５はビロード様糸である。【００１５】図２のように針金１に（線径  ０．２８〜０．３０ｍｍ、長さ３６ｃｍ）接着剤２を介し、厚さ５０μｍ以下、幅４ｍｍ長さ５０ｃｍの紙３を隣り合う紙の端を重なるよう螺旋状に巻く。このとき用いる２は３と金属の接着を容易にする水性の変性エチレン酢酸ビニル樹脂と水を主成分とするボンド（たとえば株式会社アルテコのパワーボンド速乾クリア）を利用することが望ましい。【００１５】そして図３のように前記の３を巻いた１に熱接着樹脂で構成されている４を巻く。（たとえば東洋紡のダイナックテープ幅６ｍｍ長さ５３ｃｍ）また、このとき用いる４は必ずしもテープ状のものに限るものではなく、熱接着樹脂で構成される糸を巻きつける事によっても同様である。【００１６】さらに、図１（Ｂ）のように前記図３に５を螺旋状に巻き１３０℃〜１６０℃、５〜１０秒加熱加工することによって得られたビロード様紐である。【００１７】上記の要領で構成された本発明品は前記針金１と両面熱接着不織布４の間に紙を介したことにより４が１から剥離することなく尚且つ造形時に力を加えても５ビロード様糸が針金から剥離しにくいという効果がある。又４を用いた方法は接着剤による加工と比較した場合接着剤の飛散により毛足の長い繊維素材や起毛素材が固まりになってしまう問題を容易したと同時に５をしっかりと接着する簡単な方法である。【００１８】また、両面熱接着不織布を巻き付ける方法は起毛素材を損なわずに接着加工することを容易にしたばかりでなく、従来の手芸用モールでは針金を切断した場合切断面の繊維がばらばらになってしまうが、本発明は針金を切断しても切断面のビロードがほつれたりたりしない。そして、使用するビロード様の布或いはビロード様糸を替えることによって用途の拡大と多様性を持つ製造方法である。【００１９】そして、螺旋状にビロード様糸を巻く方法は針金が表面から見えない構造であり、あらゆる方向へ造形しても均等にビロード調が表現できるとともに、造形作業が容易な太さを損なわずにビロード調構造体を誰でも容易に製造できるビロード様紐の構成に効果がある。【００２０】さらに図５のようにビロード様布を巻き付けてもよい。
【図面の簡単な説明】
【００２１】
【図１】Ａ）本発明品の実施形態を示すビロード様紐の全体図である。
【図１】Ｂ）本発明品の実施形態を示すビロード様紐１００の説明図である。
【図２】１に２を介して３を巻いた説明図である。
【図３】図２において、前記１に３を巻き４を巻いた説明図である。
【図４】従来の手芸用モールの説明図
【図５】本発明品の実施形態を示すビロード様紐２００の説明図である。
【符号の説明】
【００２２】    １  針金
２  接着剤
３  紙
４  両面熱接着不織布
５  ビロード様糸
６  ビロード様布
６６  針金
６７  繊維
１００  ビロード様紐
２００  ビロード様紐
【図１】
2009051191.tif 000003
【図２】
2009051191.tif 000004
【図３】
2009051191.tif 000005
【図４】
2009051191.tif 000006
【図５】
2009051191.tif 000007